(57)【要約】【課題】本発明は、吸・排気構成おいて、トップ部側壁Ａに設けた開口部Ａにカバーを装着することで、煮こぼれ等が本体内に入らないようにすることを目的とする。【解決手段】少なくとも一辺の側壁Ａ１２に複数の開口部Ａ１３を設けたトップ部１１と開口部Ａ１３を覆うカバー１４を備え、カバー１４はカバーの側壁Ｂ１６のみに多数の開口部Ｂ１８を設けかつトップ部１１の開口部Ａ１２に着脱自在に取り付けられた構成とすることで、本体内に煮こぼれが入らないので信頼性を高くし、またカバーの着脱により非常にお手入れをしやすくすることができる。【選択図】図２
2005265210.tif 000002
【特許請求の範囲】
【請求項１】
少なくとも一辺の側壁に複数の開口部Ａを設けたトップ部と、前記開口部Ａを覆うカバーとを備え、前記カバーには前記カバーの側壁のみに前記開口部Ａから所定の距離をおいて多数の開口部Ｂを設け、かつ前記トップ部の開口部Ａに着脱自在に取り付けられた組み込み式加熱調理器。
【請求項２】
カバーは、略コの字形状で、前記カバーの少なくとも両サイドには樹脂製の保護枠を設け、前記保護枠にはトップ部固定用の凸形状が備えられ、前記凸形状が開口部Ａに圧入され固定された請求項１に記載の組み込み式加熱調理器。
【請求項３】
一辺の側壁に対応するカバーは複数のカバーで構成された請求項１または２に記載の組み込み式加熱調理器。
【請求項４】
カバーは２本のカバーで構成され、かつ前記２本のカバーのつなぎ部分には、樹脂製の保持体を備え、前記２本のカバーは、トップ部装着時は一体部品で構成され、前記トップ部取り外し後は分割可能な請求項１〜３のいずれか１項に記載の組み込み式加熱調理器。
【請求項５】
カバーの下方の装着方向の面の長さは、上方の装着方向の面の長さより短い部分を有する請求項１〜４のいずれか１項に記載の組み込み式加熱調理器。
【請求項６】
カバーは上下方向性なくトップ部に装着可能な請求項１〜４のいずれか１項に記載の組み込み式加熱調理器。
【請求項７】
カバーの上方の面は、トップ部側を上とする傾斜を設けた請求項１〜６のいずれか１項に記載の組み込み式加熱調理器。
【請求項８】
トップ部と当接するカバー端面にはシール材を設けた請求項１〜７のいずれか１項に記載の組み込み式加熱調理器。
【請求項９】
カバーは、トップ部装着時、前記トップ部高さより低い請求項１〜８のいずれか１項に記載の組み込み式加熱調理器。
【発明の詳細な説明】
【技術分野】
【０００１】
本発明は、組み込み式加熱調理器の吸・排気部のカバーの構成に関するものである。
【背景技術】
【０００２】
従来、この種の組み込み式加熱調理器の吸・排気部におけるカバーの構成としては、例えば、本体後方の天面部に設けられた吸・排気口の上方に覆いかぶさるように載置したものや、また、本体下方に設けられた吸気口を覆いかぶさるように配置し、ばねで引っ掛けるというものがあった（例えば、特許文献１、２参照）。図１６、１７は前記文献に記載された従来のカバーの構成を示すものである。図１６、１７において、トップ部を構成する枠体１内部にセラミックプレート等で構成された天板２が固定されており、天板２後方には、本体内部の部品を冷却するために設けられた吸・排気口３が設けられている。吸・排気口３の上方には、吸・排気口３を覆設する小さな穴を多数有するカバー４が載置され、吸・排気口周囲部に設けられた複数個の防振ゴム５上に載っている。
【特許文献１】特開平５−１２１１５５号公報
【特許文献２】特開平８−３１５９７４号公報
【発明の開示】
【発明が解決しようとする課題】
【０００３】
しかしながら、前記従来の構成では、吸・排気口３は上方に向いているため、天板２上で煮こぼれを起こした場合には、大きな固形物は吸・排気口３内に入ることを阻止することはできるが、いくらカバー４があったとしても、液体は略全て吸・排気口３内に入ってしまい、一部は本体内部の充電部に付着し本体の故障の原因になることがあるという課題を有していた。
【０００４】
本発明は、上記従来の課題を解決するもので、トップ部後方の側壁に開口部Ａを設け、さらに開口部Ａを覆う多数の開口部Ｂを有するカバーを、トップ部後方の側壁に着脱自在に取り付けることで、本体内部に煮こぼれ等を入りにくくし、またカバーを楽に手入れすることのできる信頼性が高く、使い勝手のよい組み込み式加熱調理器を提供することを目的とする。
【課題を解決するための手段】
【０００５】
前記従来の課題を解決するために、本発明は、トップ部の後方の側壁に開口部Ａを設け、さらに側壁に開口部Ａから所定の距離をおいて多数の開口部Ｂを有するカバーを、開口部Ａを覆うように着脱自在に構成することで、煮こぼれ等を本体内部に入りにくくすることを目的とする。
【発明の効果】
【０００６】
本発明の組み込み式加熱調理器は、吸・排気口をトップ部に設けた機器において、天板上での煮こぼれ等に対し、本体内部に非常に入りにくいので、信頼性の高い優れた機器を提供できるし、またカバーに煮こぼれがついたとしても、着脱式のため容易に外せるし、また形状も簡素なので、簡単に洗うことのできるお手入れ性のよい機器をも提供できる。
【発明を実施するための最良の形態】
【０００７】
第１の発明は、少なくとも一辺の側壁に開口部Ａを設けたトップ部と開口部Ａを覆うカバーを備え、カバーにはカバーの側壁に開口部Ａから所定の距離をおいて多数の開口部Ｂを設けかつトップ部の開口部Ａに着脱自在に取り付けられた構成により、本体内部に煮こぼれ等を入りにくくすることができ、また容易にカバーを洗うことができるため、お手入れ性がよくなり、使い勝手も向上する。
【０００８】
第２の発明は、特に第１の発明のカバーは、略コの字形状で、カバーの少なくとも両サイドには樹脂製の保護枠を設け、保護枠には、トップ部固定用の凸形状が備えられ凸形状により開口部Ａに圧入するため、垂直面でも確実にカバーをガタツクことなく安定して固定でき、また後方という作業しにくい位置でも着脱しやすい構成にすることができる。
【０００９】
第３の発明は、特に第１、２の発明の一辺の側壁に対応するカバーは、複数のカバーで構成されているため、それを構成する各カバーは短くすることができるので、取り扱いやすく、食洗機に入れて洗うこともできる。
【００１０】
第４の発明は、特に第１〜３の発明のカバーは、２本で構成され、かつ２本のつなぎ部分には、樹脂製の保持体を備え、２本のカバーは、トップ部装着時は一体部品で構成され、取り外し後は分割可能な構成とすることで、本体装着時は１回の作業でトップ部にガタツキなく確実に固定できるし、取り外した後は、カバーを分割することができるので、食洗機に入れて洗えて、お手入れをしやすくすることもできる。
【００１１】
第５の発明は、特に第１〜４の発明のカバーにおいて、下方の装着方向の面の長さは、上方の装着方向の面の長さより短い部分を構成することで、カバー下方の開口部Ｃからも排気することができるため、冷却性能を向上することができる。
【００１２】
第６の発明は、特に第１〜４の発明のカバーにおいて、上下方向性なくトップ部に装着可能な構成とすることで、お客様はカバーの上下を迷うことなく装着できるようになり、やさしい機器を提供できる。
【００１３】
第７の発明は、特に第１〜６の発明のカバーにおいて、カバーの上方の面はトップ部側を上とする傾斜を設けた構成とすることで、天板からの煮こぼれに対して、煮こぼれはカバー天面の斜面に沿ってつたいキャビネットへ落ちるので、煮こぼれを本体内部に入りにくくすることができる。
【００１４】
第８の発明は、特に第１〜７の発明のカバーにおいて、トップ部と当接するカバー端面にはシール材を設けた構成とすることで、天板からの煮こぼれに対して、煮こぼれはカバー天面をつたってキャビネットへ落ち、かつ本体とカバーの継ぎ目にもシールしているため、サラリとした水のような液体が本体とカバーの継ぎ目から本体内部に入ることをおきにくくすることができる。
【００１５】
第９の発明は、特に第１〜８の発明において、カバーは、トップ部装着時、トップ部高さより低い構成とすることで、鍋を後方にずらしてもカバーには当たらないため、鍋を安定して置くことができ、またカバーは保持されるので安全に調理できる機器を提供することができる。
【００１６】
以下、本発明の実施の形態について、図面を参照しながら説明する。なお、本実施の形態によって本発明が限定されるものではない。
【００１７】
（実施の形態１）
図１（ａ）、（ｂ）、２、３、４は、本発明の第１の実施の形態における組み込み式加熱調理器（カバー取り外し時）の後方斜視図、（カバー装着時）後方斜視図、後方詳細断面図、後方詳細断面図、後面図を示すものである。
【００１８】
図１〜４において、本体を構成しているトップ部１１で後方の側壁Ａ１２には、本体内部の冷却を行うために設けられた吸・排気用の複数の開口部Ａ１３が備えられている。そして、側壁Ａ１２の外側には開口部Ａ１３を覆設するようにカバー１４が装着されている。カバー１４は、天面１５、側壁Ｂ１６、底面１７を有し側壁Ｂ１６に複数の開口部Ｂ１８を有しており、両サイドにはバネ性を有する弾性体１９を構成させ、その弾性体１９が開口部Ａ１３の両サイドに嵌合することで、トップ部１１に着脱自在に装着されている。本体を構成している外郭２０がトップ部１１の内側にあり、本体はキャビネット２１に設置されている。この構成により、後方の吸・排気部において天面部に開口部がなく、また開口部Ａ１３と開口部Ｂ１８との間にはある所定の距離をとることができている。また、開口部Ａ１３、Ｂ１８は両者ともトップ部１２、カバー１４の下端から壁面Ａ２２、Ｂ２３を設けた上方の側壁に形成されている。冷却構成としては、本体内部を冷却した排気は外郭２０とトップ部１１の間を通り、開口部Ａ１３、そしてカバー１４、開口部Ｂ１８を通って外へと出される。
【００１９】
以上のように構成された組み込み式加熱調理器の吸・排気部構成について、以下その動作、作用を説明する。
【００２０】
まず、上記構成において、トップ部１１上後方で煮こぼれしたことを考える。煮こぼれはトップ部１１、カバー天面１５をつたってキャビネット２１上に落ちてくる。ところが、カバー１４がトップ部１１に装着されている。かつ、天面１５には開口部がないため煮こぼれがカバー１４内に入ることはない。そして、カバー１４をこぼれおちた煮こぼれが大量にあるが、カバーの側壁Ｂ１８と同面の壁面Ｂ２３によって、キャビネット２１上をはって向かってくる煮こぼれに対しても、大半はブロックされるため、カバー１４内には多くは入らない。しかしながら、本体内部冷却用の開口部Ｂ１８があるため少量は入ってくる。その開口部Ｂ１８を通って入ってきた煮こぼれにおいても、カバー１４の中には空間があるためそこにためられ、本体内部にはまだ入らない。さらに入ろうとした煮こぼれについてもトップ部１１の側壁Ａ１２と壁面Ａ２２によりブロックされるため、ほとんど本体内部は入らないのである。ここで、開口部Ａ１３と開口部Ｂ１８との配置関係を、後方から見た位置で互い違いにずれた位置にさせることにより、排気は若干外へ抜けにくくなるが、さらに入りづらい構成にできる。
【００２１】
また、カバー１４は着脱自在であるため、取り外して洗うことも容易にできる。よって、吸・排気口である開口部Ｂ１８が煮こぼれ等で汚れ、詰まったとしても着脱式のカバー１４を簡単に外して洗うことで、清潔にすることができ、元の性能を維持する状態に戻すことができる。また、カバー１４を取り外したときに表れる開口部Ａ１３も清掃できる。
【００２２】
さらに、着脱方式についても、カバー１４の両サイドにバネ性ある弾性体１９が構成されているため、取り付け位置が取り付けにくい後方であっても、押し込む、引き抜くという容易な作業だけでトップ部１１に着脱できるし、また、側壁という安定感が悪い面に固定する際でもガタツキがなく確実に取り付けることができる。
【００２３】
以上のように、本実施の形態においては、煮こぼれした場合でも、本体内部に入りづらく、かつ冷却性能も確保できる構成にすることができ、またカバーも着脱自在で簡単に洗うこともできるため、信頼性が高く、また清掃性、取り付け性がよい使い勝手のよい機器を提供することができる。
【００２４】
弾性体１９は、カバー１４と一体部品で構成させてもよいし、別部品をカバー１４にスポット溶接やねじの締結等で固定させてもよい。
【００２５】
なお、着脱の方式であるが、着脱手段があれば、何でもよく例えば、板バネをトップ部１１内に設けてカバー１４のある面を板バネとトップ部１１の面と挟みつけて固定してもいいし、またトップ部１１、カバー１４が磁性体であれば磁石を両者もしくはどちらかに設けてもいいし、バネ構成で作られた爪でトップ部１１に引っ掛け、ワンプッシュで外すという構成でも同様の効果が得られる。
【００２６】
また、ここでは後方の側壁で説明したが、設置条件、本体冷却構成によっては、後方だけでなく左右側壁にも開口部を設けるとか、右側壁だけとかいろんな場合によって開口部位置を変えても同様の効果が得られる。
【００２７】
（実施の形態２）
図５、図６は本発明の第２の実施の形態における組み込み式加熱調理器のカバーの斜視図、後方詳細断面図を示すものである。
【００２８】
図５において、基本的な構成は実施の形態１と同様であるため、構成の違うところのみを説明する。カバー１４は略コの字形状で構成され、天面１５、側壁Ｂ１６、底面１７から構成されている。カバー１４の両サイドには樹脂製の保護枠２４が天面１５、底面１７に設けられた穴に爪嵌合で固定されている。保護枠２４には、中央部に先端が丸くガイド形状を形成する凸形状２５を設けている。カバー１４と保護枠２４は爪嵌合により一体部品となっている。
【００２９】
以上のように構成された組み込み式加熱調理器の吸・排気部構成について、以下その動作、作用を説明する。
【００３０】
動作、作用についても、実施の形態１の内容と違う部分についてだけ述べるため、同様の内容は実施の形態１の参照とする。カバー１４をトップ部１１に装着することを考える。トップ部１１の側壁Ａ１２には冷却用の開口部Ａ１３があいており、そこに保護枠２４の凸形状２５を差し込む。凸形状２５は樹脂製であるため、若干たわみ開口部Ａ１３に圧入される。さらに押し込めば確実にトップ部に固定される。ところが、若干の圧入関係（人間が簡単に取り外しできる程度の摩擦）であるので、取り外しも簡単に行える。さらに、金属でカバーを構成させた場合には、端面部を樹脂製の保護枠２４で覆うことができるし、着脱する際は、エッジのない丸みを帯びた両サイドの樹脂製の保護枠２４を持つことから、指を金属のカバー端面で切るというけがも防止することができる。そして、カバー１４の内部にある凸形状２５は冷却の穴である開口部Ａ１３に圧入されるため、開口部Ａ１３とカバー１４は確実に覆うことができるため、少々の取り付けバラツキがあっても問題なく開口部Ａ１３を覆うことができる。また、カバー１４は略コの字形状であるため、薄い金属（約０．５ミリ程度）で構成させても強度を確保することもでき、また、ふきんで拭く際にも、高さが約１０ミリに対して、幅が約５〜１０ミリと薄いため、簡単にカバー１４の中身も拭くこともできる。
【００３１】
以上のように、本実施の形態においては、簡単に着脱できるカバーを構成でき、かつお手入れしてもけがのしない取り付け・取り外し性が簡単で、安全な機器をも提供することができる。
【００３２】
当然、実施の形態１で記載した同様の効果がここでも得られる。
【００３３】
なお、ここでは、カバー１４と保護枠２４の取り付けを爪嵌合で行っているが、接着やねじの締結等の機械的固定でもよいし、また、保護枠２４をカバー１４端面に完全にかぶせて固定させてもよい。
【００３４】
また、保護枠２４はカバーの両サイドに付けると説明しているが、カバー１４が長いとたわみやすいため、中央部にも保護枠を設ければ、カバー１４の装着時トップ部１１とカバー天面１５との隙間のない見栄えの良い機器をも提供できるし、隙間からカバー１４内への煮こぼれの入りのない信頼性の高い機器も提供できる。
【００３５】
（実施の形態３）
図７は本発明の第３の実施の形態における組み込み式加熱調理器の後方斜視図を示すものである。
【００３６】
図７において、基本的な構成は実施の形態１と同様であるため、構成の違うところのみを説明する。カバー１４は２本の短いカバーで構成され、トップ部１１後方の側壁Ａ１２に各々着脱自在に装着されている。
【００３７】
以上のように構成された組み込み式加熱調理器の吸・排気部構成について、以下その動作、作用を説明する。
【００３８】
動作、作用についても、実施の形態１の内容と違う部分についてだけ述べるため、同様の内容は実施の形態１の参照とする。カバー１４をトップ部１１から取り外した時を考える。各カバー１４は本体の一辺の半分以下で長さ約２５センチぐらいで構成させることができる。よって、汚れて洗う際にもコンパクトで洗いやすいし、洗ったあと乾かす際にも場所をとらずおくことができる。さらには、最近広く普及している食器洗い乾燥機にも入れられるサイズにすることができるため、楽に手入れすることができる。
【００３９】
以上のように、本実施の形態においては、カバーを２つにすることで、さらにお手入れしやすい機器を提供することができる。当然、実施の形態１で記載した同様の効果がここでも得られるし、また実施の形態２のように保護枠を両サイドにつけて、カバーを２つにしても同様の効果が得られる。
【００４０】
（実施の形態４）
図８（ａ）、（ｂ）は本発明の第４の実施の形態における組み込み式加熱調理器（カバー取り外し時）の後方斜視図、（カバー装着時）後方斜視図を示すものである。
【００４１】
図８において、基本的な構成は実施の形態２と同様であるため、実施の形態２の参照とする。カバー１４は２本の短いカバーで構成され、両者をつなぐ部分には樹脂製の保持体２６が備えられ、保持体２６は一方のカバーＡ１４ａに確実に固定され、一方のカバーＢ１４ｂとは穴と丸みを帯びた凸により着脱自在に嵌合され、軽く圧入されている。保持体２６の中央部には、保護枠２４と同様に先端が丸くガイド形状を形成する凸形状２７が設けられている。
【００４２】
以上のように構成された組み込み式加熱調理器の吸・排気部の構成について、以下その動作、作用を説明する。
【００４３】
動作、作用についても、実施の形態２の内容と違う部分についてだけ述べるため、同様の内容は実施の形態２の参照とする。カバー１４がトップ部１１の側壁Ａ１２に装着されている場合を考える。カバー１４は一本の一体部品として構成され、凸形状２５、保持体の凸形状２７が開口部Ａ１３に軽く圧入することにより、固定されている。今度、取り外す場合を考える。取り外す場合も、カバー１４は一本の一体部品であるので、保護枠２４の両サイドを持って、簡単に引き抜けば外せる。（１回の作業で外せる）ところが、カバー１４は短いカバーＡ１４ａとカバーＢ１４ｂとが保持体２６を介してつながっているだけなので、保持体２６を含んだカバーＡ１４ａとカバーＢ１４ｂを分割することができる。そうすることで、両者をコンパクトのにすることができるので、汚れて洗う際にも洗いやすいし、洗ったあと乾かす際にも場所をとらずにおくことができる。さらには、最近広く普及している食器洗い乾燥機に入れられるサイズにすることができるため、楽に手入れすることができる。
【００４４】
以上のように、本実施の形態においては、カバーを装着時には一本の一体部品とし、また取り外し時には２つに分割することができる構成とすることで、カバーのトップ部への取り付け作業が簡単に一回ででき、さらにお手入れする際には、さらに楽に洗うことのできる使い勝手の良い機器を提供することができる。当然、実施の形態１〜３で記載した同様の効果がここでも得られる。
【００４５】
また、実施の形態４では、保持体２６は一体化時カバーＡ１４ａとカバーＢ１４ｂの中に収められるが、例えばカバーＡ１４ａと保護枠２４との関係のように、カバー天面１５と保持体２６の天面とを同面として、保持体２６が外観に見えるように取り付けてもいいし、また、カバー端面を完全に覆うように両者に取り付けても同様の効果が得られる。
【００４６】
（実施の形態５）
図９、１０は本発明の第５の実施の形態における組み込み式加熱調理器のカバーの斜視図、後方詳細断面図を示すものである。
【００４７】
図９、１０において基本的な構成は実施の形態１と同様であるため、実施の形態１の参照とする。カバー底面１７の装着方向の長さが、カバー天面１５の装着方向の長さより短い部分２８を数ヶ所有し、そこに開口部Ｃ２９が形成されている。
【００４８】
以上のように構成された組み込み式加熱調理器の吸・排気部の構成について、以下その動作、作用を説明する。
【００４９】
動作、作用についても、実施の形態１の内容と違う部分についてだけ述べるため、同様の内容は実施の形態１の参照とする。カバー１４がトップ部１１の側壁Ａ１２に装着されている場合を考える。カバー底面１７には短い部分２８が存在するため、カバー１４と側壁Ａ１２とで囲われた空間において、開口部Ｂ１８に加え、新たな開口部Ｃ２９が生じるようになる。つまり、カバー１４の冷却構成における排気面積が増えることにより、冷却性能が向上する。ところで、その開口部Ｃ２９は底面であり、また壁面Ａ２２があるために本体内部への溢水性能にはほとんど影響しないので維持できる。
【００５０】
以上のように、本実施の形態においては、カバーにおける排気面積を溢水性能に影響しないレベルで向上できるので、両性能を両立できる信頼性の高い機器を提供することができる。当然、実施の形態１〜４で記載した同様の効果がここでも得られる。
【００５１】
（実施の形態６）
図１１、１２は本発明の第６の実施の形態における組み込み式加熱調理器のカバーの斜視図、後方詳細断面図を示すものである。
【００５２】
図１１、１２において、基本的な構成は実施の形態２と同様であるため、構成の違うところのみを説明する。カバー１４の天面１５と底面１７の装着方向の長さは同じでかつ、保護枠２４の凸形状の高さ方向の位置はカバー１４の高さ方向の中央に位置している。
【００５３】
以上のように構成された組み込み式加熱調理器の内部構成について、以下その動作、作用を説明する。
【００５４】
動作、作用についても、実施の形態２の内容と違う部分についてだけ述べるため、同様の内容は実施の形態２の参照とする。通常に、カバー１４がトップ部１１の側壁Ａ１２に装着されている場合を考える。カバー１４は開口部Ａ１３に対し、上記構成をとっているため中央に装着される。今度は、カバー１４を天地逆に装着することを考える。カバー１４及び保護枠２４、凸形状２５は上下左右対称形状となっているため、トップ部１１の側壁Ａ１２に上下逆に取り付けても、遜色なく装着することができる。
【００５５】
以上のように、本実施の形態においては、カバー１４を上下意識することなくトップ部１１に装着することができるので、お客様（使用者）が迷うことなくカバー１４を簡単にセットできる優しい機器を提供することができる。また、性能（冷却、溢水）においても同等を満足することができる。当然、実施の形態１〜５で記載した同様の効果がここでも得られる。
【００５６】
（実施の形態７）
図１３は本発明の第７の実施の形態における組み込み式加熱調理器の後方詳細断面図を示すものである。
【００５７】
図１３において、基本的な構成は実施の形態２と同様であるため、構成の違うところのみを説明する。カバー１４の天面１５はトップ部１１側を上とする傾斜を設けて開口部Ａ１３に装着されている。
【００５８】
以上のように構成された組み込み式加熱調理器の内部構成について、以下その動作、作用を説明する。
【００５９】
動作、作用についても、実施の形態１の内容と違う部分についてだけ述べるため、同様の内容は実施の形態１の参照とする。トップ部１１上後方で煮こぼれしたことを考える。煮こぼれはトップ部１１を溢れ、カバー天面１５上に落ちてくる。ところが、カバーの天面１５はトップ部１１側を上とする傾斜を設けているため、煮こぼれは傾斜をつたい全て本体外側へ流れ、カバーの天面１５上にたまったりすることはないため、側壁Ａ１２とカバーの天面１５との隙間からカバー１４内に入ることはない。
【００６０】
以上のように、本実施の形態においては、煮こぼれを起こした場合でも煮こぼれは全て本体の外側へ流れる信頼性の高い機器を提供することができる。当然、実施の形態１〜６で記載した同様の効果がここでも得られる。
【００６１】
（実施の形態８）
図１４は本発明の第８の実施の形態における組み込み式加熱調理器の後方詳細断面図を示すものである。
【００６２】
図１４において、基本的な構成は実施の形態１と同様であるため、構成の違うところのみを説明する。カバーの天面１５及び底面１７とトップ部１１の側壁Ａ１２との当接面にはカバー１４の端面を囲うようにシール材３０が設けられている。
【００６３】
以上のように構成された組み込み式加熱調理器の吸・排気部構成について、以下その動作、作用を説明する。
【００６４】
動作、作用についても、実施の形態１の内容と違う部分についてだけ述べるため、同様の内容は実施の形態１の参照とする。トップ部１１上後方で煮こぼれしたことを考える。煮こぼれはトップ部１１を溢れ、カバー天面１５上に落ちてくる。ところが、カバーの天面１５にはトップ部１１と当接する端面にシール材３０が囲うように設けられているため、側壁Ａ１２とカバー１４には隙間が全くないため、カバー１４内に直接煮こぼれが入ることはない。全て外部へと流れていく。
【００６５】
以上のように、本実施の形態においては、煮こぼれを起こした場合でも煮こぼれは全て本体の外側へ流れる信頼性の高い機器を提供することができる。当然、実施の形態１〜７で記載した同様の効果がここでも得られる。
【００６６】
また、シール材は端面に発泡シリコンを塗布するとか、シールテープを貼り付けても同様の効果が得られる。
【００６７】
（実施の形態９）
図１５は本発明の第９の実施の形態における組み込み式加熱調理器の後方詳細断面図を示すものである。
【００６８】
図１５において、基本的な構成は実施の形態１と同様であるため、構成の違うところのみを説明する。カバーの天面１５の高さはトップ部１１の高さより低い位置で固定されている。
【００６９】
以上のように構成された組み込み式加熱調理器の吸・排気部構成について、以下その動作、作用を説明する。
【００７０】
動作、作用についても、実施の形態１の内容と違う部分についてだけ述べるため、同様の内容は実施の形態１の参照とする。トップ部１１上後方で加熱された鍋をより後方にずらしたことを考える。カバー１４はトップ部１１よりも低い位置にいるので、鍋に接触することがないため、安定した鍋の載置ができるし、またカバー１４も確実にトップ部１１に保持され続けられる。また、カバー１４が樹脂で構成されていたとしても、鍋と接触することがないため、温度による溶融などもなく、安全に使用することができる。
【００７１】
以上のように、本実施の形態においては、鍋が後方に大きくずれたとしても、安定した鍋の載置とカバーの保持が成されるため、安全性の高い機器を提供することができる。当然、実施の形態１〜８で記載した同様の効果がここでも得られる。
【産業上の利用可能性】
【００７２】
以上のように、本発明にかかる組み込み式加熱調理器は、溢水と、冷却性能の両立した吸・排気構成と、お手入れしやすいカバーの構成とにより、水まわりの機器（調理機器、家事機器等）や溢水のおそれのある機器等の用途にも適用できる。
【図面の簡単な説明】
【００７３】
【図１】（ａ）本発明の実施の形態１における組み込み式加熱調理器（カバー取り外し時）の後方斜視図（ｂ）本発明の実施の形態１における組み込み式加熱調理器（カバー装着時）の後方斜視図
【図２】本発明の実施の形態１における組み込み式加熱調理器の後方詳細断面図
【図３】本発明の実施の形態１における組み込み式加熱調理器の後方詳細断面図
【図４】本発明の実施の形態１における組み込み式加熱調理器の後面図
【図５】本発明の実施の形態２における組み込み式加熱調理器のカバーの斜視図
【図６】本発明の実施の形態２における組み込み式加熱調理器の後方詳細断面図
【図７】本発明の実施の形態３における組み込み式加熱調理器の後方斜視図
【図８】（ａ）本発明の実施の形態４における組み込み式加熱調理器（カバー取り外し時）の後方斜視図（ｂ）本発明の実施の形態４における組み込み式加熱調理器（カバー装着時）の後方斜視図
【図９】本発明の実施の形態５における組み込み式加熱調理器のカバーの斜視図
【図１０】本発明の実施の形態５における組み込み式加熱調理器の後方詳細断面図
【図１１】本発明の実施の形態６における組み込み式加熱調理器のカバーの斜視図
【図１２】本発明の実施の形態６における組み込み式加熱調理器の後方詳細断面図
【図１３】本発明の実施の形態７における組み込み式加熱調理器の後方詳細断面図
【図１４】本発明の実施の形態８における組み込み式加熱調理器の後方詳細断面図
【図１５】本発明の実施の形態９における組み込み式加熱調理器の後方詳細断面図
【図１６】従来の組み込み式加熱調理器の後方斜視図
【図１７】従来の組み込み式加熱調理器の後方詳細断面図
【符号の説明】
【００７４】
１１  トップ部
１２  側壁Ａ
１３  開口部Ａ
１４  カバー
１５  天面
１６  側壁Ｂ
１７  底面
１８  開口部Ｂ
２４  保護枠
２５  凸形状
２６  保持体
２７  保持体の凸形状
２８  短い部分
３０  シール材
【図１】
2005265210.tif 000003
【図２】
2005265210.tif 000004
【図３】
2005265210.tif 000005
【図４】
2005265210.tif 000006
【図５】
2005265210.tif 000007
【図６】
2005265210.tif 000008
【図７】
2005265210.tif 000009
【図８】
2005265210.tif 000010
【図９】
2005265210.tif 000011
【図１０】
2005265210.tif 000012
【図１１】
2005265210.tif 000013
【図１２】
2005265210.tif 000014
【図１３】
2005265210.tif 000015
【図１４】
2005265210.tif 000016
【図１５】
2005265210.tif 000017
【図１６】
2005265210.tif 000018
【図１７】
2005265210.tif 000019